(57)【要約】  【課題】  媒体再生装置等の映像機器を備えた一体型の映像表示装置において、前記映像表示装置及び前記映像機器の両方に備えられたＯＳＤ表示部によるＯＳＤ表示を見やすくする。  【解決手段】  映像機器の設定を行うための第２ＯＳＤ表示を行うときの画質を予め用意された画質データを用いて操作することで、第２ＯＳＤ表示はソース映像を表示しているときの画質を変更しても一定のＯＳＤ表示を行う。【選択図】      図３
2006135851.tif 000002
【特許請求の範囲】
【請求項１】
アンテナより受信した電波を復調するチューナと、外部機器と接続するための外部機器
接続端子と、前記チューナ、前記外部機器接続端子及びＤＶＤ再生部と接続し、前記各部
分より出力されるソース信号を受信して選択された部分よりのソース信号を出力するセレ
クタと、前記セレクタより出力された前記ソース信号を所定の画質になるように調整し出
力する信号操作部と、前記信号操作部より出力されたソース信号を基に映像を表示する画
像表示部と、前記ＴＶ受像部の設定表示である第１ＯＳＤ表示の信号を前記信号操作部に
出力する第１ＯＳＤ表示部と、前記各部を制御するための制御部と、前記制御部に接続さ
れデータを格納するためのメモリと、前記制御部に外部からの動作命令信号を送信する外
部入力部とを備えたＴＶ受像部と、
ＤＶＤメディアを回転させるためのモータと、ＤＶＤメディアに記録されたデータを読
み出すピックアップと、前記ピックアップにて読み出されたデータを復号し前記ソース信
号にするとともに、前記セレクタに送信するデコーダと、前記デコーダに併設され前記Ｄ
ＶＤ再生部の設定表示である第２ＯＳＤ表示の信号を前記セレクタに出力する第２ＯＳＤ
表示部と、前記各部を制御するためのＤＶＤ制御部とを備えた前記ＤＶＤ再生部とを有し
ており、
前記制御部と前記ＤＶＤ制御部は接続されており、前記外部入力部に入力されたＯＳＤ
表示信号が制御部に入力されると、ソース映像表示、前記第１ＯＳＤ表示、前記第２ＯＳ
Ｄ表示を順に繰り返し、
前記第１ＯＳＤ表示部からのＯＳＤ表示信号は常に一定の画質で表示されるものであり
、
前記第２ＯＳＤ表示に切り替えられたとき、前記制御部は前記ＤＶＤ制御部に第２ＯＳ
Ｄ表示を行う信号を送信し、前記メモリに格納されている第２ＯＳＤ表示用の画質データ
を基に、前記第２ＯＳＤ表示を行い、
前記第２ＯＳＤ表示を終了するときは、前記信号操作部の画質データをＯＳＤ表示を行
う前のソース映像を表示していたときの画質に戻すものであり、
前記第２ＯＳＤ表示用の画質データは前記第１ＯＳＤ表示のときの画質データと同じ又
は略同じであることを特徴とする映像機器一体型映像表示装置。
【請求項２】
ソース映像の画質を画質データを基に操作する信号操作部と、前記画像表示機器の設定
を行う第１ＯＳＤ表示用の信号を生成する第１ＯＳＤ表示部と、前記画像表示機器を制御
する制御部と、前記制御部に接続され各種データが格納されるメモリとを備えた画像表示
機器と、
設定を行う第２ＯＳＤ表示用の信号を生成する第２ＯＳＤ表示部と、前記映像機器を制
御する映像機器制御部とを備えた映像機器とを有しており、
前記第１ＯＳＤ表示部からのＯＳＤ表示信号は常に一定の画質で表示されるものであり
、前記第２ＯＳＤ表示を行うときに前記信号操作部の画質データとして前記メモリに予め
備えられている第２ＯＳＤ表示用の画質データを利用し、ＯＳＤ表示を終了すると、ソー
ス映像を表示していたときの画質データに戻すものであることを特徴とする映像機器一体
型映像表示装置。
【請求項３】
前記第２ＯＳＤ表示用の画質データは前記第２ＯＳＤ表示の画質が前記第１ＯＳＤ表示
の画質と同じ又は略同じになるものであることを特徴とする請求項２に記載の映像機器一
体型映像表示装置。
【請求項４】
前記第２ＯＳＤ表示用の画質データは使用者が任意に設定することができるものである
ことを特徴とする請求項２に記載の映像機器一体型映像表示装置。
【請求項５】
前記第２ＯＳＤ表示用の画質データは予め用意された複数の画質データのうちから使用
者が任意に設定することができるものであることを特徴とする請求項２、請求項３又は請
求項４に記載の映像機器一体型映像表示装置。
【発明の詳細な説明】
【技術分野】
【０００１】
本発明は、媒体再生機器等の映像機器を備えた画像形成装置に関するものであり、より
詳しくは、映像機器と画像形成装置のＯＳＤ表示を同一又は略同一の画質で行うことので
きる映像機器一体型画像形成装置に関するものである。
【背景技術】
【０００２】
ＴＶ受像機、ＶＴＲ及びＤＶＤ再生装置等の映像機器において、これらの機器の各種設
定項目を画像表示部の一部に表示し、使用者が確認しながら設定できるようにするための
表示手段であるＯＳＤ(On Screen Display)表示手段が採用されている。例えばＤＶＤの
ＯＳＤにおいてはチャプタ、タイトル等の表示、画面のアスペクト比、アングル、ステレ
オ音声、字幕等の切り替えなど、設定項目の選択や調整の状態を画面上で確認しながら調
整でき、別途に設定項目用の表示部等を設ける必要がなく、画面の調整や音声の調整等、
ソース映像を見ながら調整を行える等といった長所がある。
【０００３】
また、別途表示部を設けている場合でも、モニタが大型化したことにより使用者はより
離れた場所からの鑑賞を行うことになる。それゆえ、ＤＶＤ再生装置に設けられた表示部
を見ながら設定を行うのはやりにくい。また、ＴＶ受像機やＶＴＲ等についても同様に該
ＴＶ受像機、ＶＴＲの各種設定項目を画像表示部を見ながら行うことが可能である。
【０００４】
近年ＴＶ受像機とＶＴＲ、ＴＶ受像機とＤＶＤ再生装置といった映像表示装置と記録メ
ディア再生装置とが一体になった一体型ＴＶ受像機が多くなってきている。これらの一体
型ＴＶ受像機はそれぞれの機器の接続を行わなくてもよく、また、必要最小限の配置場所
に設置することができる等の長所を有している。
【０００５】
たとえばＤＶＤ再生装置一体型ＴＶ受像機を例にとって説明すると、前記ＴＶ受像機の
設定項目の選択や調整の状態（輝度、コントラスト等の画質、チャンネル設定、時刻設定
等）を表示するときは、前記ＴＶ受像機の制御部に備えられたＯＳＤ表示装置を用いて前
記ＴＶ受像機の画像表示部にＯＳＤ表示される。一方、ＤＶＤ再生装置の設定項目の選択
や調整の状態（チャプタ、タイトル等の表示、画面のアスペクト比、アングル、ステレオ
音声、字幕等の切り替え等）を表示するときは、前記ＤＶＤ再生装置の復号装置に備えら
れたＯＳＤ表示装置を利用して前記ＴＶ受像機の画像表示部にＯＳＤ表示される。
【０００６】
一般的にＴＶ受像機の映像表示装置で衛星放送、地上波放送、ＤＶＤ等のソース映像を
表示する場合、その場の雰囲気や、各ソースの映像にあわせて、画質を変更する場合が多
い。前記ＴＶ受像機に備えられたＯＳＤ表示装置によってＯＳＤ表示を行う場合、ソース
映像を表示しているときの画質にかかわらず、常に一定の画質で表示される。一方、前記
ＤＶＤ再生装置のＯＳＤ表示装置を用いてＯＳＤ表示を行う場合、該ＯＳＤ表示装置より
出力されたＯＳＤ表示信号は前記ＴＶ受像機の信号制御部に映像信号として送られる。こ
れにより、前記ＤＶＤ再生装置のＯＳＤ表示は、ＯＳＤ表示を行う直前に表示していたソ
ース映像に合わせた画質で表示される。
【特許文献１】特開平１１−１４６２８８号公報
【特許文献２】特開２００２−５７９５９号公報
【特許文献３】特開２００２−１５２６２１号公報
【発明の開示】
【発明が解決しようとする課題】
【０００７】
しかしながら、ソース映像を表示するときの画質は快適に鑑賞するための画質であり、
必ずしもＯＳＤ表示に適した画質であるとは限らない。例えば、映画やスポーツを暗い部
屋で見る場合は輝度、コントラストを低めに設定することが多い。このとき、ＴＶ受像機
のＯＳＤ表示装置にてＯＳＤ表示を行う場合、画質はソース映像を表示するときの画質と
は関係なく明るい画質で表示するが、ＤＶＤ再生装置のＯＳＤ表示装置にてＯＳＤ表示を
行う場合、ＯＳＤ表示信号がソース表示としてＴＶ受像機の信号制御部に入力されるので
、ソース映像を表示するときの画質が用いられ、表示が暗く見にくくなるときがある。
【０００８】
そこで本発明は、媒体再生装置等の映像機器を備えた一体型の映像表示装置において、
前記映像表示装置及び前記映像機器の両方に備えられたＯＳＤ表示装置によるＯＳＤ表示
の画質を一定にすることを目的とする。
【０００９】
また本発明は、媒体再生装置等の映像機器を備えた一体型の映像表示装置において、前
記映像表示装置及び前記映像機器の両方に備えられたＯＳＤ表示部によるＯＳＤ表示を見
やすくすることを目的とする。
【課題を解決するための手段】
【００１０】
上記目的を達成するために本発明は、アンテナより受信した電波を復調するチューナと
、外部機器と接続するための外部機器接続端子と、前記チューナ、前記外部機器接続端子
及びＤＶＤ再生部と接続し、前記各部分より出力されるソース信号を受信して選択された
部分よりのソース信号を出力するセレクタと、前記セレクタより出力された前記ソース信
号を所定の画質になるように調整し出力する信号操作部と、前記信号操作部より出力され
たソース信号を基に映像を表示する画像表示部と、前記ＴＶ受像部の設定表示である第１
ＯＳＤ表示の信号を前記信号操作部に出力する第１ＯＳＤ表示部と、前記各部を制御する
ための制御部と、前記制御部に接続されデータを格納するためのメモリと、前記制御部に
外部からの動作命令信号を送信する外部入力部とを備えたＴＶ受像部と、ＤＶＤメディア
を回転させるためのモータと、ＤＶＤメディアに記録されたデータを読み出すピックアッ
プと、前記ピックアップにて読み出されたデータを復号し前記ソース信号にするとともに
、前記セレクタに送信するデコーダと、前記デコーダに併設され前記ＤＶＤ再生部の設定
表示である第２ＯＳＤ表示の信号を前記セレクタに出力する第２ＯＳＤ表示部と、前記各
部を制御するためのＤＶＤ制御部とを備えた前記ＤＶＤ再生部とを有しており、前記制御
部と前記ＤＶＤ制御部は接続されており、前記外部入力部に入力されたＯＳＤ表示信号が
制御部に入力されると、ソース映像表示、前記第１ＯＳＤ表示、前記第２ＯＳＤ表示を順
に繰り返し、前記第１ＯＳＤ表示部からのＯＳＤ表示信号は常に一定の画質で表示される
ものであり、前記第２ＯＳＤ表示に切り替えられたとき、前記制御部は前記ＤＶＤ制御部
に第２ＯＳＤ表示を行う信号を送信し、前記メモリに格納されている第２ＯＳＤ表示用の
画質データを基に、前記第２ＯＳＤ表示を行い、前記第２ＯＳＤ表示を終了するときは、
前記信号操作部の画質データをＯＳＤ表示を行う前のソース映像を表示していたときの画
質に戻すものであり、前記第２ＯＳＤ表示用の画質データは前記第１ＯＳＤ表示のときの
画質データと同じ又は略同じであることを特徴とする映像機器一体型映像表示装置を提供
する。
【００１１】
この構成によると、ＤＶＤ再生部の操作を行うための第２ＯＳＤ表示を行うときの画質
を第１ＯＳＤ表示のときの画質データと同じ又は略同じになるように操作するので第２Ｏ
ＳＤ表示が第１ＯＳＤ表示と比べて極端に暗くなったり、明るくなったりしないのでＯＳ
Ｄ表示を用いたときの設定がやりやすい。
【００１２】
上記目的を達成するために本発明は、アンテナより受信した電波を復調するチューナと
、外部機器と接続するための外部機器接続端子と、前記チューナ、前記外部機器接続端子
及びＤＶＤ再生部と接続し、前記各部分より出力されるソース信号を受信して選択された
部分よりのソース信号を出力するセレクタと、前記セレクタより出力された前記ソース信
号を所定の画質になるように調整し出力する信号操作部と、前記信号操作部より出力され
たソース信号を基に映像を表示する画像表示部と、前記ＴＶ受像部の設定表示である第１
ＯＳＤ表示の信号を前記信号操作部に出力する第１ＯＳＤ表示部と、前記各部を制御する
ための制御部と、前記制御部に接続されデータを格納するためのメモリと、前記制御部に
外部からの動作命令信号を送信する外部入力部とを備えたＴＶ受像部と、ＤＶＤメディア
を回転させるためのモータと、ＤＶＤメディアに記録されたデータを読み出すピックアッ
プと、前記ピックアップにて読み出されたデータを復号し前記ソース信号にするとともに
、前記セレクタに送信するデコーダと、前記デコーダに併設され前記ＤＶＤ再生部の設定
表示である第２ＯＳＤ表示の信号を前記セレクタに出力する第２ＯＳＤ表示部と、前記各
部を制御するためのＤＶＤ制御部とを備えた前記ＤＶＤ再生部とを有しており、前記制御
部と前記ＤＶＤ制御部は接続されており、前記外部入力部に入力されたＯＳＤ表示信号が
制御部に入力されると、ソース映像表示、前記第１ＯＳＤ表示、前記第２ＯＳＤ表示を順
に繰り返し、前記第１ＯＳＤ表示部からのＯＳＤ表示信号は常に一定の画質で表示される
ものであり、前記第２ＯＳＤ表示に切り替えられたとき、前記制御部は前記ＤＶＤ制御部
に第２ＯＳＤ表示を行う信号を送信し、前記メモリに格納されている第２ＯＳＤ表示用の
画質データを基に、前記第２ＯＳＤ表示を行い、前記第２ＯＳＤ表示を終了するときは、
前記信号操作部の画質データをＯＳＤ表示を行う前のソース映像を表示していたときの画
質に戻すものであり、前記第２ＯＳＤ表示用の画質データは前記第１ＯＳＤ表示のときの
画質データと同じ又は略同じであることを特徴とする映像機器一体型映像表示装置を提供
する。
【００１３】
この構成によると、映像機器の設定を行うための前記第２ＯＳＤ表示を行うときの画質
を予め用意された画質データを用いて操作するので、第２ＯＳＤ表示はソース映像を表示
しているときの画質を変更しても一定のＯＳＤ表示を行うことができるので、ＯＳＤ表示
を用いた前記映像機器の設定がやりやすい。
【００１４】
上記構成の第２ＯＳＤ表示用の画質データは前記第２ＯＳＤ表示の画質が前記第１ＯＳ
Ｄ表示の画質と同じ又は略同じになるものであってもよい。また、使用者が任意に設定す
ることができるものであってもよい。さらには、予め用意された複数の画質データのうち
から使用者が任意に設定することができるものであってもよい。
【発明の効果】
【００１５】
本発明によると、媒体再生装置等の映像機器を備えた一体型の映像表示装置において、
前記映像表示装置及び前記映像機器の両方に備えられたＯＳＤ表示装置によるＯＳＤ表示
の画質を一定にすることができる。
【００１６】
本発明によると、媒体再生装置等の映像機器を備えた一体型の映像表示装置において、
前記映像表示装置及び前記映像機器の両方に備えられたＯＳＤ表示部によるＯＳＤ表示が
見やすくすることができる。
【発明を実施するための最良の形態】
【００１７】
以下に本発明の実施形態を図面を参照して説明する。図１に本発明にかかる映像機器一
体型映像表示装置の一例であるＤＶＤ再生機一体型ＴＶの配置図を示す。図１に示すＤＶ
Ｄ再生機一体型ＴＶ１は映像表示装置としてＴＶ受像部２を、映像機器としてＤＶＤ再生
部３を備えている。ＤＶＤ再生機一体型ＴＶ１は、外部アンテナ４で受信した放送信号を
復調するチューナ５と、チューナ５、外部入力端子６、ＤＶＤ再生部３のうちいずれか１
つを信号送信元として選択し選択された送信元からのソース信号を受信するセレクタ７と
、セレクタ７より出力された信号の画質を調整し、調整された信号を画像表示部９に送る
信号操作部８と、ＴＶ受像部の設定用の第１ＯＳＤ表示信号を生成する第１ＯＳＤ表示部
１０と、制御部１１と、制御部１１に接続されるメモリ１２とを備えている。
【００１８】
ＤＶＤ再生部３は、メディア１３を回転させる駆動モータ１４と、メディア１３に記録
されているデータを読み出すピックアップ１５と、ピックアップ１５にて読み出されたデ
ータが送られそのデータを複合化するデコーダ１６と、デコーダ１６に併設され、ＤＶＤ
再生部３の設定用の第２ＯＳＤ表示信号を生成する第２ＯＳＤ表示部１７と、ＤＶＤ再生
部３の内部を制御するＤＶＤ制御部１８とを備えている。
【００１９】
制御部１１は外部からの入力を受信する外部入力部２０を備えている。外部入力部２０
はそれには限定されないが、ここでは、リモートコントローラ１９の受信部である。図１
において実線の矢印はソース映像信号、ＯＳＤ表示信号等のデータであり、点線の矢印は
制御信号である。
【００２０】
ＤＶＤ再生機一体型ＴＶ１は、リモートコントローラ１９のよる命令を受けてセレクタ
７で受信する信号の送信元の機器を決定する。例えば、リモートコントローラ１９にてＴ
Ｖ放送が選択された場合、アンテナ４にて受信しチューナ５にて復調した信号をセレクタ
７で受信し、映像信号に変換した後、信号操作部８に送り、信号操作部８にて所定の画質
に操作して信号を画像表示部９に送ることで、画像表示部９にて映像を写す。このとき、
リモートコントローラ１９にてチャンネルが切り替えられる命令が入力されると、制御部
１１はチューナ５の命令を送信しチューナ５のチャンネルを切り替える。
【００２１】
また、リモートコントローラ１９にてＤＶＤ再生が選択された場合、セレクタ７をデコ
ーダ１６からの信号受信に切り替え、制御部１１はＤＶＤ制御部１８にＤＶＤ再生が選択
された情報の信号を送信する。信号を受けたＤＶＤ制御部１８は、モータ１４及びピック
アップ１５を操作し、ピックアップ１５にてＤＶＤメディア１３のデータを読み取る。読
み取ったデータはデコーダ１６に送られ、デコーダ１６で複合化される。複合化された信
号はセレクタ７に入力される。セレクタ７以降はチューナ５のときと同じである。
【００２２】
図２に図１に示すＤＶＤ再生機一体型ＴＶのＯＳＤ表示の順番を表す図を示す。図２に
示すように、ＤＶＤ再生機一体型ＴＶ１はソース映像の表示Ｐ１（ここでは、ＤＶＤメデ
ィア１３の再生表示）を行っている状態で、リモートコントローラ１９より、ＯＳＤ表示
の命令が入力されたとき、ＴＶ受像部２の画質等の設定を行うための第１ＯＳＤ表示Ｐ２
を行う。第１ＯＳＤ表示Ｐ２の状態で、リモートコントローラ１９より命令が入力された
ときはＤＶＤ再生部３の画質等の設定を行うための第２ＯＳＤ表示Ｐ３を行う。その後、
第２ＯＳＤ表示Ｐ３の状態で、リモートコントローラ１９より命令が入力されたときはソ
ース映像表示Ｐ１に戻る。
【００２３】
このときのＤＶＤ再生機一体型ＴＶの動作を示すフローチャートを図３に示す。画像表
示部９にてＤＶＤメディア１３を再生している状態で、リモートコントローラ１９にてＯ
ＳＤ表示命令が入力されたかどうか確認する（ステップＳ１）。ＯＳＤ表示命令が入力さ
れない場合（ステップＳ１でＮＯの場合）ステップＳ１に戻って確認を繰り返す。ＯＳＤ
表示命令が入力された場合（ステップＳ１でＹＥＳの場合）、制御部１１は第１ＯＳＤ表
示部１０に信号を送る（ステップＳ２）。信号を受信した第１ＯＳＤ表示部１０はＯＳＤ
表示信号を生成し制御部に送る（ステップＳ３）。
【００２４】
制御部１１は受信したＯＳＤ表示信号を信号操作部８に送る（ステップＳ４）。このと
き、信号操作部８はＯＳＤ表示信号を画像表示部９に送る（ステップＳ５）。第１ＯＳＤ
表示時は、ソース映像を表示しているときの画質データにかかわらず一定の画質で表示さ
れる。画像表示部９に表示された第１ＯＳＤ表示を見ながら、ＴＶ受像部２の設定を変更
する（ステップＳ６）。
【００２５】
このとき、リモートコントローラ１９にてＯＳＤ表示命令が入力されるかどうか確認す
る（ステップＳ７）。ＯＳＤ表示命令が入力されない場合（ステップＳ７でＮＯの場合）
ステップＳ６に戻って設定を続行する。ＯＳＤ表示命令が入力された場合（ステップＳ７
でＹＥＳの場合）、制御部１１はＤＶＤ制御部１８にＯＳＤ表示命令が入力されたことを
伝える信号を送信する（ステップＳ８）。ＤＶＤ制御部１８はＯＳＤ表示信号を受信する
と、第２ＯＳＤ表示部１７信号を送る（ステップＳ９）。第２ＯＳＤ表示部１７はＯＳＤ
表示信号を生成しデコーダ１６を介してセレクタ７に送る（ステップＳ１０）。
【００２６】
このとき、制御部１１は信号操作部８に第２ＯＳＤ表示部１７を用いて第２ＯＳＤ表示
を行うことを伝える信号を送信する（ステップＳ１１）。ステップＳ１１にて送信された
信号を信号操作部８が受信すると、信号操作部８にて保存されている現在の画質をソース
映像表示用画質データとして制御部１１に送りメモリ１２に格納する（ステップＳ１２）
。このとき、制御部１１はメモリ１２に格納されている第１ＯＳＤ表示と同じ画質で表示
できるように設定されたＯＳＤ用画質データを読み出し、信号操作部８に送る（ステップ
Ｓ１３）。
【００２７】
セレクタ７よりＯＳＤ表示信号が信号操作部８に入力されると、ステップＳ１３にて信
号操作部８に送られた画質データを基にＯＳＤ表示信号を操作し（ステップＳ１４）、画
像表示部９に送り第２ＯＳＤ表示を行う（ステップＳ１５）。この画質データは第１ＯＳ
Ｄ表示用の画質データと同じであり、ソース映像を表示しているときの画質データにかか
わらず、第２ＯＳＤ表示は一定の画質で表示される。画像表示部９に表示された第２ＯＳ
Ｄ表示Ｐ３を見ながら、ＤＶＤ再生部３の設定を変更する（ステップＳ１６）。
【００２８】
リモートコントローラ１９にてＯＳＤ表示命令が入力されたかどうか判定する（ステッ
プＳ１７）。ＯＳＤ表示命令の入力確認されない場合（ステップＳ１７でＮＯの場合）、
ステップＳ１６にもどってＤＶＤ再生部３の設定変更を行う。ＯＳＤ表示命令の入力が確
認された場合（ステップＳ１７でＹＥＳの場合）、制御部１１はＤＶＤ制御部１８に信号
を送り、ＯＳＤ表示信号を受信したことを知らせる（ステップＳ１８）。ＤＶＤ制御部１
８は第２ＯＳＤ表示を停止しする（ステップＳ１９）。
【００２９】
信号操作部８はメモリ１２に保存したソース再生用の画質データを読み出し（ステップ
２０）画質データを基にソース映像の信号の画質を操作し、画像表示部９に送りソース映
像を表示する（ステップＳ１９）。
【００３０】
以上のようにして、ＴＶ受像部２の第１ＯＳＤ表示部１０による第１ＯＳＤ表示と、Ｄ
ＶＤ表示部の第２ＯＳＤ表示部１７による第２ＯＳＤ表示とを、同一の画質で表示するこ
とができ、第１ＯＳＤ表示及び第２ＯＳＤ表示での画質の違いによる違和感を低減するこ
とが可能である。
【００３１】
ＤＶＤ再生部３の第２ＯＳＤ表示部１７にて第２ＯＳＤ表示を行うときに第２ＯＳＤ表
示の画質調整を行うようにしても良い。第２ＯＳＤ表示のときに、第２ＯＳＤ表示の画質
を変更する。また、変更された画質をＯＳＤ表示用画質データとしてメモリに格納する。
このとき、ＯＳＤ表示用画質データは以前のデータに新たなデータを上書きする。以降、
画質の変更が行われるまで、変更されたＯＳＤ表示用画質データを採用して、第２ＯＳＤ
表示を行う。
【００３２】
このとき、予め複数種類の画質データをメモリ１２に用意しておき、使用者がその中か
ら選択するものであってもよく、さらに、選択された画質を好みに変更してメモリ１２に
ＯＳＤ表示用画質データとして格納するものであっても良い。ＯＳＤ表示用画質データは
画質の変更がなされていない場合、第２ＯＳＤ表示が第１ＯＳＤ表示と同じ画質になるよ
うに予め定められた画質データである。また、使用者によって変更されていても、使用者
の要求によりＯＳＤ表示用画質データは第１ＯＳＤ表示と同じ画質になる画質データと置
き換えることが可能である。
【００３３】
以上の実施例において映像機器としてＤＶＤ再生機を例に説明しているが、それに限定
されるものではなく、ＴＶＲ、ハードディスクレコーダ等の映像機器を広く採用すること
ができる。また、以上の実施例ではソース映像表示、第１ＯＳＤ表示、第２ＯＳＤ表示の
順に切り替わるものを例示しているが、それに限定されるものではない。また、順に切り
替わるものではなく任意のタイミングで表示できるものであってもよい。
【図面の簡単な説明】
【００３４】
【図１】本発明にかかる映像機器一体型映像表示装置の一例であるＤＶＤ再生機一体型ＴＶの配置図である。
【図２】図１に示すＤＶＤ再生機一体型ＴＶのＯＳＤ表示の順番を表す図である。
【図３】図１に示すＤＶＤ再生機一体型ＴＶの動作を示すフローチャートである。
【符号の説明】
【００３５】
１  ＤＶＤ再生機一体型ＴＶ
２  ＴＶ受像部
３  ＤＶＤ再生部
４  外部アンテナ
５  チューナ
６  外部入力端子
７  セレクタ
８  信号操作部
９  画像表示部
１０  第１ＯＳＤ表示部
１１  制御部
１２  メモリ
１３  メディア
１４  駆動モータ
１５  ピックアップ
１６  デコーダ
１７  第２ＯＳＤ表示部
１８  ＤＶＤ制御部
１９  リモートコントローラ
２０  外部入力部
【図１】
2006135851.tif 000003
【図２】
2006135851.tif 000004
【図３】
2006135851.tif 000005